(57)【要約】【課題】昇降路外から視認できる昇降路内で運転により昇降する昇降物に取り付けた表示装置を用いた情報表示の有効性を向上させる。【解決手段】エレベータ制御盤８ａが表示制御装置１０に単一の表示用情報の表示処理を指示した場合、表示情報読出部２３は、指示で示される表示用情報を記憶装置２２の表示情報記憶部３１から読み出す。表示範囲設定部２４は、読み出した表示用情報が各号機での範囲連続表示対象である場合、各号機の外部表示装置７のそれぞれについての表示用情報の表示範囲を各号機の間で表示内容が重複しないように設定する。表示情報出力部２５は、読み出された表示用情報を表示範囲設定部２４により設定した表示範囲にしたがって各号機の外部表示装置７に通信インタフェース２６を介して出力し、出力先の外部表示装置７に表示させる。【選択図】図２
2009221007.tif 000002
【特許請求の範囲】
【請求項１】
複数の号機のそれぞれにおいて運転制御にしたがって昇降路内を昇降する昇降物に前記昇降路外から表示内容が視認可能に取り付けられる表示装置と、
前記複数の号機のそれぞれの表示装置での表示内容を足し合わせる事で単一の表示用情報の表示内容が視認されるように前記それぞれの表示装置への表示処理を行なう表示制御手段と
を備えたことを特徴とするエレベータ。
【請求項２】
前記複数の号機の前記表示装置が取り付けられる昇降物の位置が前記表示制御手段による表示処理によって単一の表示用情報の表示内容が視認される位置となるように運転制御を行う運転制御手段をさらに備え、
前記表示制御手段は、
前記複数の号機の前記昇降物の位置が前記それぞれの表示装置への表示処理を行った前記単一の表示用情報の表示内容が視認される位置となった場合に当該表示処理を行なう
ことを特徴とする請求項１に記載のエレベータ。
【請求項３】
エレベータの運行状況を取得する運行状況取得手段と、
前記取得した運行状況が複数の号機が待機する状況である場合に、前記複数の号機の前記表示装置が取り付けられる昇降物の位置が前記表示制御手段による表示処理によって単一の表示用情報の表示内容が視認される位置となるように運転制御を行う運転制御手段とをさらに備え、
前記表示制御手段は、
前記複数の号機の前記昇降物の位置が前記それぞれの表示装置への表示処理を行った前記単一の表示用情報の表示内容が視認される位置となった場合に当該表示処理を行なう
ことを特徴とする請求項１に記載のエレベータ。
【請求項４】
前記表示制御手段は、
外部装置からネットワークを介して取得した情報をもとに表示処理対象の表示用情報を決定する
ことを特徴とする請求項１に記載のエレベータ。
【請求項５】
緊急情報を受信する受信手段をさらに備え、
前記表示制御手段は、
前記受信した緊急情報に応じた情報の前記複数の号機のそれぞれの表示装置への表示処理を行なう
ことを特徴とする請求項１に記載のエレベータ。
【請求項６】
前記表示装置が取り付けられる昇降物は乗りかごである
ことを特徴とする請求項１に記載のエレベータ。
【発明の詳細な説明】
【技術分野】
【０００１】
本発明は、展望用エレベータなどの昇降路内に昇降路外から表示内容が視認出来る表示装置を取り付けたエレベータに関する。
【背景技術】
【０００２】
従来、エレベータの表示装置は、例えば特許文献１に開示されるように乗りかごの内部にモニタなどを設けて店舗メニューやメッセージ等を表示させる。また、展望用エレベータなどの、昇降路外から中が見渡せる昇降路内の乗りかごの外部に表示装置を取り付けたものがある。
【特許文献１】特開２００５−２２５６３４号公報
【発明の開示】
【発明が解決しようとする課題】
【０００３】
上述したように、展望用エレベータの昇降路内の乗りかごの外部に表示装置を取り付けることで表示内容を昇降路外の乗客が視認できる。しかし従来では単一の表示用情報をエレベータの単一の号機の乗りかごの外部表示装置に表示させているので、表示用情報のメッセージの内容や文字の大きさや表示できる内容自体に制限があった。
【０００４】
そこで、本発明の目的は、昇降路外から視認できる昇降路内で運転により昇降する昇降物に取り付けた表示装置を用いた情報表示の有効性を向上させることが可能になるエレベータを提供することにある。
【課題を解決するための手段】
【０００５】
すなわち、本発明に係わるエレベータは、複数の号機のそれぞれにおいて運転制御にしたがって昇降路内を昇降する昇降物に昇降路外から表示内容が視認可能に取り付けられる表示装置を備え、複数の号機のそれぞれの表示装置での表示内容を足し合わせる事で単一の表示用情報の表示内容が視認されるようにそれぞれの表示装置への表示処理を行なうことを特徴とする。
【発明の効果】
【０００６】
本発明によれば、昇降路外から視認できる昇降路内で運転により昇降する昇降物に取り付けた表示装置を用いた情報表示の有効性を向上させることができる。
【発明を実施するための最良の形態】
【０００７】
以下図面により本発明の実施形態について説明する。  
（第１の実施形態）
まず、本発明の第１の実施形態について説明する。  
図１は、本発明の第１の実施形態におけるエレベータの構成例を示す図である。  
本実施形態でのエレベータの号機は複数である。図１ではＡ号機について図示する。  
図１に示すように、乗りかご１は巻き上げ機２のモータ軸に設けられたメインシーブ４に巻き掛けられたメインロープ６を介してカウンタウェイト３と連結される。乗りかご１は巻き上げ機２の駆動によるメインシーブ４の回転に伴い、カウンタウェイト３とともに互いに上下反対方向に昇降路５内を昇降する。乗りかご１の駆動方式は油圧方式など他の方式であってもよい。
【０００８】
本実施形態でのエレベータは展望用エレベータであり、昇降路５が建物の外壁などに連なって形成される。昇降路５は屋外又は屋内に設置され、当該昇降路５と接する面側部分はガラスなどの透過性のある材料である。
【０００９】
また、乗りかご１の外表面には液晶ディスプレイなどの外部表示装置７が取り付けられる。外部表示装置７への表示用情報は、例えば電飾や技術的、娯楽的、教育的、または宣伝広告的な情報である文字、画像および動画が挙げられる。
【００１０】
前述したように昇降路５の外からみて昇降路５と接する部分は透明となっているので、当該昇降路５の外部にいる乗客は、昇降路５の内部の乗りかご１の外観および当該乗りかご１に取り付けられる外部表示装置７の表示内容を視認できるようになっている。  
本実施形態では、必要に応じてＡ号機の外部表示装置７を外部表示装置７ａ、Ｂ号機の外部表示装置７を外部表示装置７ｂ、Ｃ号機の外部表示装置７を外部表示装置７ｃと称する。
【００１１】
また、機械室にはエレベータ制御盤８が備えられ、エレベータ制御盤８はエレベータ運転制御部９を有する。本実施形態では、必要に応じてＡ号機のエレベータ制御盤８をエレベータ制御盤８ａ、Ｂ号機のエレベータ制御盤８をエレベータ制御盤８ｂ、Ｃ号機のエレベータ制御盤８をエレベータ制御盤８ｃと称する。
【００１２】
また、前述した機械室には表示制御装置１０が備えられる。表示制御装置１０は複数のうちいずれか一つの号機、ここではＡ号機のみに設けられる。Ａ号機のエレベータ制御盤８ａおよび表示制御装置１０はテールコード１１を介してＡ号機の外部表示装置７ａに接続される。また、Ｂ号機の外部表示装置７ｂ、エレベータ制御盤８ｂ、Ｃ号機の外部表示装置７ｃ、エレベータ制御盤８ｃは表示制御装置１０に接続される。  
当該表示制御装置１０は各号機のエレベータ制御盤８からの表示用情報の表示指示にしたがって、複数の号機の外部表示装置７への表示処理を行なう。
【００１３】
表示制御装置１０は、必要に応じて、それぞれの号機の外部表示装置７が乗客にあわせて視認された場合に単一の表示用情報の表示内容が当該乗客に視認されるように、つまり複数の号機のそれぞれの外部表示装置７での表示内容を足し合わせる事で単一の表示用情報の表示内容が視認されるように複数の号機のそれぞれの外部表示装置７への表示処理を行なう。
【００１４】
具体的には、表示制御装置１０は、単一の表示用情報が単一の号機の外部表示装置７で表示しきれない、もしくは複数の号機の外部表示装置７を一つの表示装置に見立てて表示した方が望ましい情報である場合に、前述した単一の表示用情報のうち、複数の号機のそれぞれの外部表示装置７での表示範囲を表示内容が号機の間で重複しないように設定し、当該設定した範囲にしたがって各号機の外部表示装置７への表示処理を行なう。
【００１５】
図２は、本発明の第１の実施形態におけるエレベータの表示制御装置の構成例を示すブロック図である。  
表示制御装置１０は、装置全体の処理動作を司る制御部２１、不揮発性メモリなどの記憶装置２２、表示情報読出部２３、表示範囲設定部２４、表示情報出力部２５および通信インタフェース２６を備え、それぞれがバス２７を介して相互に接続される。
【００１６】
記憶装置２２は表示情報記憶部３１および表示先情報記憶部３２を備える。表示情報記憶部３１は外部表示装置７へ表示するための文字、画像、動画といった表示用情報を記憶する。表示先情報記憶部３２は、各号機の外部表示装置７の識別情報を記憶する。
【００１７】
表示情報読出部２３は、表示情報記憶部３１に記憶される表示用情報のうち外部表示装置７に表示させるための情報を読み出す。  
表示範囲設定部２４は、複数の号機のそれぞれの外部表示装置７での表示内容を足し合わせる事で単一の表示用情報の表示内容が視認されるように複数の号機のそれぞれの外部表示装置７への表示処理を行なう必要がある場合に、当該単一の表示用情報についての各号機のそれぞれの外部表示装置７での表示範囲を設定する。  
表示情報出力部２５は、表示用情報を通信インタフェース２６を介して各号機の外部表示装置７に出力して画面表示させる。
【００１８】
また、表示制御装置１０は、表示情報記憶部３１に記憶される情報に限らず、外部機器から表示用情報が送られて当該表示用情報の表示を指示された場合に、必要に応じて表示範囲設定部２４による表示範囲の設定を行なった上で表示情報出力部２５により各号機の外部表示装置７に出力してもよい。
【００１９】
次に、図１に示した構成のエレベータの表示処理について説明する。図３は、本発明の第１の実施形態におけるエレベータの表示制御装置の処理動作の一例を示すフローチャートである。  
まず、Ａ号機のエレベータ制御盤８ａが表示制御装置１０に単一の表示用情報の表示処理を指示した場合（ステップＳ１）、表示情報読出部２３は、当該指示で示される表示用情報を記憶装置２２の表示情報記憶部３１から読み出す（ステップＳ２）。
【００２０】
読み出された表示用情報には、各号機での範囲連続表示対象であるか、つまり複数の号機のそれぞれの外部表示装置７での表示内容を足し合わせる事で単一の表示用情報の表示内容が視認されるように複数の号機のそれぞれの外部表示装置７へ表示処理を行なう必要があるか否かを示す情報が含まれる。
【００２１】
読み出した表示用情報が各号機での範囲連続表示対象であると表示情報読出部２３が判断した場合（ステップＳ３のＹＥＳ）、表示範囲設定部２４は、各号機の外部表示装置７のそれぞれについての表示用情報の表示範囲を各号機の間で表示内容が重複しないように設定する（ステップＳ４）。
【００２２】
例えば、Ａ号機，Ｂ号機，Ｃ号機の乗りかごが横一列に並んだ場合に昇降路５の外からみて左から順にＡ号機の外部表示装置７ａ、Ｂ号機の外部表示装置７ｂ、Ｃ号機の外部表示装置７ｃが横一列に並んでいる場合で、読み出された単一の表示用情報がＡ，Ｂ，Ｃ号機の３つの外部表示装置７での範囲連続表示対象である場合の表示範囲の設定形態について説明する。
【００２３】
この場合、表示範囲設定部２４は、表示用情報の画面上での表示範囲を左部分、中央部分および右部分に三等分したうちの左部分をＡ号機の外部表示装置７ａにおける表示範囲として設定し、中央部分をＢ号機の外部表示装置７ｂにおける表示範囲として設定し、右部分をＣ号機の外部表示装置７ｃにおける表示範囲として設定する。
【００２４】
すると、表示情報出力部２５は、読み出された表示用情報を表示範囲設定部２４により設定した表示範囲および表示先情報記憶部３２に記憶される識別情報にしたがって各号機の外部表示装置７に通信インタフェース２６を介して出力し（ステップＳ５）、出力先の外部表示装置７に表示させる（ステップＳ６）。
【００２５】
図４は、本発明の第１の実施形態におけるエレベータの各号機の外部表示装置での表示形態の一例を示す図である。  
この結果、図４に示すように、単一の表示用情報を三等分したうち左部分がＡ号機の外部表示装置７ａに表示され、中央部分がＢ号機の外部表示装置７ｂに表示され、右部分がＣ号機の外部表示装置７ｃに表示される。つまり、昇降路５の外の乗客は、外部表示装置７ａ，７ｂ，７ｃを纏めて視認することで、通常より横方向の表示範囲が三倍である単一の表示用情報を視認することができる。
【００２６】
また、読み出した表示用情報が各号機での範囲連続表示対象でないと表示範囲設定部２４が判断した場合（ステップＳ３のＮＯ）、表示情報出力部２５は、読み出された表示用情報を各号機の外部表示装置７に通信インタフェース２６を介して個別に出力し（ステップＳ５）、出力先の外部表示装置７に表示させる（ステップＳ６）。この結果、各号機の外部表示装置７には同じ表示用情報が個別に表示される。
【００２７】
以上説明したように、本発明の第１の実施形態によれば、複数台の展望用エレベータが設置されている建物はランドマーク的な要素をもつ建物が多いことに着目し、複数台のエレベータの外部表示装置７を組み合わせることで単一の情報を表示させる。これにより表示用情報の表示範囲が広がる。よって、昇降路外の乗客は昇降路から距離が離れていても表示内容を認識できる可能性が高くなり、外部表示装置を効果的に利用することが可能になる。これまでのように単一の号機の表示装置のみに情報を表示させる場合は、サイズが小さいなどの理由で表示できなかった情報が存在していたが、表示範囲が広がることでこれらの情報を新たに表示することが可能になる。よって、昇降路外から視認できる昇降路内で運転により昇降する昇降物に取り付けた表示装置を用いた情報表示の有効性を向上させることができる。
【００２８】
（第２の実施形態）
次に、本発明の第２の実施形態について説明する。なお、以下の各実施形態におけるエレベータの構成は図１に示したものと基本的にほぼ同様であるので同一部分の説明は省略する。  
図５は、本発明の第２の実施形態におけるエレベータの表示制御装置の構成例を示すブロック図である。  
図５に示すように、本発明の第２の実施形態における表示制御装置１０は、第１の実施形態と比較して、入力装置４１、表示条件設定部４２、表示要否判別部４３、位置判別部４４、運転情報出力部４５、運転終了判別部４６をさらに備える。また、記憶装置２２は表示条件記憶部３３をさらに有する。  
また、各号機のエレベータ制御盤８ａ，８ｂ，８ｃは現在のかご位置情報を表示制御装置１０に出力している。
【００２９】
入力装置４１は、表示用情報の表示条件や当該表示用情報の選択のための入力操作を受け付ける。  
表示用情報の表示条件とは、表示用情報の表示開始日時や表示開始のためのエレベータの動作の条件などである。また、表示用情報の選択とは、複数の表示用情報が記憶装置２２の表示情報記憶部３１に記憶されている場合で、現在時刻が前述した表示日時となった際に表示させる情報を選択する事である。このように表示用情報の選択を行なうことで、表示用情報が文字情報である場合のメッセージなどの種別、表示用情報が画像情報である場合の画像の種別、表示用情報が動画である場合の動画の種別などを選択する事ができる。
【００３０】
表示条件設定部４２は、入力装置４１への入力操作にしたがって入力された表示用情報の表示条件、当該表示条件が満たされた場合の表示用情報の選択種別の情報を記憶装置２２の表示条件記憶部３３に記憶する。
【００３１】
表示要否判別部４３は、表示条件記憶部３３に記憶された表示条件が満たされたか否かを判別する。表示要否判別部４３は計時機能を備えており、表示条件が表示開始日時である場合には、現在日時が表示条件の表示開始日時となった場合に、表示用情報の表示を要すると判別する。
【００３２】
位置判別部４４は、表示用情報の表示を要すると表示要否判別部４３が判別した場合に、表示を要する表示用情報、つまり表示条件記憶部３３に記憶される表示条件に対応する選択種別で示される表示用情報が各号機への範囲連続表示対象である場合で、各号機のかご位置が当該範囲連続表示に適した位置であるか、例えば横一列に並ぶ位置であるか否かを判別する。
【００３３】
運転情報出力部４５は、各号機のかご位置が前述した範囲連続表示に適した位置でないと位置判別部４４が判別した場合には、各号機のかご位置が前述した範囲連続表示に適した位置となるように必要な運転動作の指示情報を各号機のエレベータ制御盤８に出力する。
【００３４】
運転終了判別部４６は、各号機のエレベータ制御盤８が前述した指示情報にしたがった運転を行なうことで各号機のかご位置が前述した範囲連続表示に適した位置となったか否かを判別する。
【００３５】
図６は、本発明の第２の実施形態におけるエレベータの表示制御装置の処理動作の一例を示すフローチャートである。  
まず、入力装置４１への入力操作による表示条件の情報が記憶装置２２の表示条件記憶部３３に記憶された状態で（ステップＳ１１）、表示要否判別部４３は、現在日時が表示開始日時に達するなどして表示条件が満たされたか否かを判別する（ステップＳ１２）。  
表示条件が満たされたと表示要否判別部４３が判別した場合（ステップＳ１２のＹＥＳ）、位置判別部４４は、エレベータ制御盤８ａ，８ｂ，８ｃからのかご位置情報をもとに、各号機のかご位置が表示条件に対応する選択種別で示される表示用情報の範囲連続表示に適した位置であるか否かを判別する（ステップＳ１３）。以後の実施形態では、表示条件に対応する選択種別で示される表示用情報が各号機への範囲連続表示対象であるとして以後の処理を説明する。
【００３６】
各号機のかご位置が当該範囲連続表示に適した位置でないと位置判別部４４が判別した場合には（ステップＳ１３のＹＥＳ）、運転情報出力部４５は、各号機のかご位置が前述した範囲連続表示に適した位置となるように必要な運転動作の指示情報を各号機のエレベータ制御盤８ａ，８ｂ，８ｃに出力する（ステップＳ１４）。
【００３７】
各号機のエレベータ制御盤８ａ，８ｂ，８ｃのエレベータ運転制御部９は表示制御装置１０からの指示情報にしたがった運転制御を行ない、現在のかご位置情報を表示制御装置１０に出力する。
【００３８】
運転終了判別部４６は、各号機のエレベータ制御盤８ａ，８ｂ，８ｃからのかご位置情報をもとに、必要な運転が終了したか、つまり各号機のかご位置が前述した範囲連続表示に適した位置となったか否かを判別する（ステップＳ１５）。
【００３９】
必要な運転が終了したと運転終了判別部４６が判別した場合には（ステップＳ１５のＹＥＳ）、表示情報読出部２３は、表示条件で示される表示用情報を読み出す（ステップＳ１６）。以後、第１の実施形態で説明したステップＳ４，Ｓ５，Ｓ６の処理と同様に、表示範囲の設定、表示情報の出力および表示処理がなされる（ステップＳ１７，Ｓ１８，Ｓ１９）。
【００４０】
運転制御及び表示処理の具体例としては、表示用情報がお祝いメッセージである場合、各号機のエレベータ制御盤８のエレベータ運転制御部９は、最下階などか昇降路５の外からみて左の号機の乗りかご１からから順番に上昇移動するように自号機の乗りかご１の運転を制御し、表示制御装置１０は、運転中は打ち上げ花火のように光が上昇する内容を各号機の外部表示装置７に表示する。
【００４１】
そして、各号機のエレベータ制御盤８のエレベータ運転制御部９は自号機の乗りかご１の速度制御を行い、乗りかご１のかご位置が中間階付近で横一列になった場合に各号機の乗りかご１の速度を同速度とし、その場合に表示制御装置１０は三台の外部表示装置７の表示内容を全て切り替えて単一の表示用情報が表示されるようにする。
【００４２】
以上説明したように、本発明の第２の実施形態によれば、表示条件で示される表示用情報の各号機への範囲連続表示が行なえるように各号機のかご位置を変更した上で表示処理を行なうことができる。つまり、表示する情報にあわせて乗りかごの運転パターンを決定するので、外部表示装置７への情報表示による有効性をさらに向上させることが可能となる。
【００４３】
（第３の実施形態）
次に、本発明の第３の実施形態について説明する。  
図７は、本発明の第３の実施形態におけるエレベータの表示制御装置の構成例を示すブロック図である。  
図７に示すように、本発明の第３の実施形態における表示制御装置１０は、第１の実施形態と比較して、運行状況取得部５１、位置判別部４４、運転情報出力部４５、運転終了判別部４６をさらに備える。  
また、各号機のエレベータ制御盤８ａ，８ｂ，８ｃは、第２の実施形態と同様に現在のかご位置情報を表示制御装置１０に出力している。
【００４４】
また、各号機のエレベータ制御盤８ａ，８ｂ，８ｃは自号機の乗りかご１が運転中であるか待機中であるか否か、および待機中である場合の待機時間を示す情報を運行状況情報として表示制御装置１０に出力している。
【００４５】
運行状況取得部５１は、各号機のエレベータ制御盤８からの運行状況情報を取得する。  
位置判別部４４は、各号機のうち複数の号機、ここでは２台以上の号機の乗りかご１が一定時間以上待機中であるとの情報を運行状況取得部５１が取得した場合で、これらの号機のかご位置が当該待機する複数号機の外部表示装置７への表示用情報の範囲連続表示に適した位置であるか否かを判別する。運転情報出力部４５および運転終了判別部４６の動作は第２の実施形態で説明した動作と同様である。
【００４６】
図８は、本発明の第３の実施形態におけるエレベータの表示制御装置の処理動作の一例を示すフローチャートである。  
まず、運行状況取得部５１は、各号機のエレベータ制御盤８からの運行状況情報を取得している状態で（ステップＳ２１）、各号機のうち複数の号機の乗りかご１が一定時間以上待機中であるとの情報を運行状況取得部５１が取得した場合には（ステップＳ２２のＹＥＳ）、位置判別部４４は、これらの号機のかご位置が当該待機する複数号機の外部表示装置７への表示用情報の範囲連続表示に適した位置であるか否かを判別する（ステップＳ２３）。
【００４７】
以後、第２の実施形態で説明したステップＳ１４，Ｓ１５，Ｓ１６，Ｓ１７，Ｓ１８，Ｓ１９の処理と同様に、各号機のかご位置が表示用情報の範囲連続表示に適した位置でない場合の運転情報の出力、運転終了の判別、運転終了時の表示用情報の読み出し、表示範囲の設定、表示情報の出力および表示処理がなされる（ステップＳ２４，Ｓ２５，Ｓ２６，Ｓ２７，Ｓ２８，Ｓ２９）。
【００４８】
表示処理後、前述したように待機中していた複数の号機の乗りかご１の待機状態が解除されて運転中になったとの情報を運行状況取得部５１が取得した場合には（ステップＳ３０のＹＥＳ）、制御部２１は、各号機の外部表示装置７へ表示停止信号を出力することで表示を終了させる（ステップＳ３１）。
【００４９】
以上説明したように、本発明の第３の実施形態によれば、複数の号機の乗りかご１が閑散時などで待機状態となった場合に、これらの乗りかご１を必要に応じて移動させた上で外部表示装置７への単一の表示用情報の範囲連続表示を行なうので、待機状態が解除されるまでは範囲連続表示を継続することができる。よって、閑散時のエレベータを広告媒体として有効利用することが可能である。
【００５０】
（第４の実施形態）
次に、本発明の第４の実施形態について説明する。  
図９は、本発明の第４の実施形態におけるエレベータの表示制御装置の構成例を示すブロック図である。  
図９に示すように、本発明の第４の実施形態における表示制御装置１０は、第２の実施形態と比較して、パーソナルコンピュータ６１と携帯電話機６２が通信回線網６３を介して表示制御装置１０の通信インタフェース２６に接続される。
【００５１】
パーソナルコンピュータ６１と携帯電話機６２は第２の実施形態で説明した入力装置４１と同様に、表示用情報の表示条件や当該表示用情報の選択のための入力操作を受け付ける。表示条件設定部４２は、パーソナルコンピュータ６１や携帯電話機６２への入力操作にしたがって入力された表示用情報の表示条件や当該表示用情報の選択種別の情報を記憶装置２２の表示条件記憶部３３に記憶する。表示条件記憶部３３への記憶処理以外の処理動作の流れについては第２の実施形態と同様である。
【００５２】
以上説明したように、本発明の第４の実施形態によれば、外部表示装置７への表示条件や表示用情報をパーソナルコンピュータ６１と携帯電話機６２からの入力操作にしたがって設定できるので、作業員は表示制御装置１０が設置される機械室に行かなくとも外部表示装置７への表示条件や表示用情報を設定できる。
【００５３】
（第５の実施形態）
次に、本発明の第５の実施形態について説明する。  
図１０は、本発明の第５の実施形態におけるエレベータの表示制御装置の構成例を示すブロック図である。  
図１０に示すように、本発明の第５の実施形態における表示制御装置１０は、第１の実施形態と比較して、緊急情報取得部７１、管制運転指示部７２、位置判別部４４、運転情報出力部４５、運転終了判別部４６をさらに備える。
【００５４】
外部の緊急情報送信機器は、地震情報などの緊急情報を表示制御装置１０に送信する。  
緊急情報取得部７１は、緊急情報送信機器からの緊急情報を取得する。管制運転指示部７２は当該取得した緊急情報の内容に応じた管制運転を各号機のエレベータ制御盤８に指示する。
【００５５】
図１１は、本発明の第５の実施形態におけるエレベータの表示制御装置の処理動作の一例を示すフローチャートである。  
まず、緊急情報取得部７１が緊急情報送信機器からの緊急情報を取得すると（ステップＳ４１）管制運転指示部７２は取得済みの緊急情報の内容を認識し、当該認識した内容に応じた管制運転を指示するための指示信号を各号機のエレベータ制御盤８に出力する。例えば、管制運転指示部７２は緊急情報が地震発生予報を示す情報であった場合には、地震時管制運転を指示するための指示信号を送信する（ステップＳ４２）。
【００５６】
各号機のエレベータ制御盤８が指示信号を受信すると当該エレベータ制御盤８のエレベータ運転制御部９は管制運転を行い、当該管制運転が終了すると管制運転終了信号を表示制御装置１０に送信する。
【００５７】
管制運転終了信号を表示制御装置１０の通信インタフェース２６が受信すると（ステップＳ４３のＹＥＳ）、位置判別部４４は、これらの号機のかご位置が当該待機する複数号機の外部表示装置７への表示用情報の範囲連続表示に適した位置であるか否かを判別する（ステップＳ４４）。ここで表示させる表示用情報は地震発生までの時間や震度などの情報である。
【００５８】
以後、第２の実施形態で説明したステップＳ１４，Ｓ１５，Ｓ１６，Ｓ１７，Ｓ１８，Ｓ１９の処理と同様に、各号機のかご位置が表示用情報の範囲連続表示に適した位置でない場合の運転情報の出力、運転終了の判別、運転終了時の表示用情報の読み出し、表示範囲の設定、表示情報の出力および表示処理がなされる（ステップＳ４５，Ｓ４６，Ｓ４７，Ｓ４８，Ｓ４９，Ｓ５０）。
【００５９】
以上説明したように、本発明の第５の実施形態によれば、緊急情報を受信した場合に、当該緊急情報の内容に応じた情報が各号機の外部表示装置７で表示されるので、昇降路５の外の乗客は緊急情報の内容に応じた情報を通常より広い表示範囲の情報として視認できるので、緊急情報を昇降路外の乗客に効果的に知らせることが可能となる
以上説明した実施形態では、外部表示装置７を乗りかご７の取り付ける構成としたが、これに限らず、乗りかご１の昇降にしたがって昇降路５内を昇降し、昇降路５の外から視認できる昇降物であればカウンタウェイト３に外部表示装置７を取り付けるようにしてもよい。
【００６０】
なお、この発明は前記実施形態そのままに限定されるものではなく実施段階ではその要旨を逸脱しない範囲で構成要素を変形して具体化できる。また、前記実施形態に開示されている複数の構成要素の適宜な組み合わせにより種々の発明を形成できる。例えば、実施形態に示される全構成要素から幾つかの構成要素を省略してもよい。更に、異なる実施形態に亘る構成要素を適宜組み合せてもよい。
【図面の簡単な説明】
【００６１】
【図１】本発明の第１の実施形態におけるエレベータの構成例を示す図。
【図２】本発明の第１の実施形態におけるエレベータの表示制御装置の構成例を示すブロック図。
【図３】本発明の第１の実施形態におけるエレベータの表示制御装置の処理動作の一例を示すフローチャート。
【図４】本発明の第１の実施形態におけるエレベータの各号機の外部表示装置での表示形態の一例を示す図。
【図５】本発明の第２の実施形態におけるエレベータの表示制御装置の構成例を示すブロック図。
【図６】本発明の第２の実施形態におけるエレベータの表示制御装置の処理動作の一例を示すフローチャート。
【図７】本発明の第３の実施形態におけるエレベータの表示制御装置の構成例を示すブロック図。
【図８】本発明の第３の実施形態におけるエレベータの表示制御装置の処理動作の一例を示すフローチャート。
【図９】本発明の第４の実施形態におけるエレベータの表示制御装置の構成例を示すブロック図。
【図１０】本発明の第５の実施形態におけるエレベータの表示制御装置の構成例を示すブロック図。
【図１１】本発明の第５の実施形態におけるエレベータの表示制御装置の処理動作の一例を示すフローチャート。
【符号の説明】
【００６２】
１…乗りかご、２…巻き上げ機、３…カウンタウェイト、４…メインシーブ、５…昇降路、６…メインロープ、７…外部表示装置、８…エレベータ制御盤、９…エレベータ運転制御部、１０…表示制御装置、１１…テールコード、２１…制御部、２２…記憶装置、２３…表示情報読出部、２４…表示範囲設定部、２５…表示情報出力部、２６…通信インタフェース、２７…バス、３１…表示情報記憶部、３２…表示先情報記憶部、３３…表示条件記憶部、４１…入力装置、４２…表示条件設定部、４３…表示要否判別部、４４…位置判別部、４５…運転情報出力部、４６…運転終了判別部、５１…運行状況取得部、６１…パーソナルコンピュータ（ＰＣ）、６２…携帯電話機、６３…通信回線網、７１…緊急情報取得部、７２…管制運転指示部。
【図１】
2009221007.tif 000003
【図２】
2009221007.tif 000004
【図３】
2009221007.tif 000005
【図４】
2009221007.tif 000006
【図５】
2009221007.tif 000007
【図６】
2009221007.tif 000008
【図７】
2009221007.tif 000009
【図８】
2009221007.tif 000010
【図９】
2009221007.tif 000011
【図１０】
2009221007.tif 000012
【図１１】
2009221007.tif 000013